(57)【特許請求の範囲】
【請求項１】
符号化端から入力された映像データストリームに含まれる、係数の統計的特性値及び量子化された係数を抽出する段階と、
前記係数の統計的特性値に基づく係数の統計的分布を利用し、ブロック内のピクセル位置に係わる係数調整値を決定する段階と、
前記ピクセル位置に係わる係数調整値を同一ピクセル位置の係数に加えることによって、前記係数を調整する段階とを含み、
前記抽出段階は、前記統計的特性値が、ブロック内のピクセル位置ごとに与えられ、それぞれの統計的特性値は、現在フレームのそれぞれのブロック内の当該ピクセル位置の係数の分散であることを特徴とする量子化係数の調整方法。
【請求項２】
前記調整された係数を逆量子化する段階を含むことを特徴とする請求項１に記載の量子化係数の調整方法。
【請求項３】
前記抽出段階は、前記係数が、符号化端で前記映像データが離散コサイン変換（ＤＣＴ）によって変換された値であることを特徴とする請求項１に記載の量子化係数の調整方法。
【請求項４】
前記係数調整値の決定段階は、前記係数調整値が、期待値測定値に負（−）の方向に比例し、ｐを予め決定された量子化変数として、２のｐ乗に負（−）の方向に反比例し、前記係数の絶対値に比例する、ように決定する段階を含む、
ことを特徴とする請求項１に記載の量子化係数の調整方法。
【請求項５】
前記係数調整値の決定段階は、前記統計的分布として正規分布を選択し、前記正規分布に前記分散を適用することによって、前記期待値測定値を決定する段階を含むことを特徴とする請求項４に記載の量子化係数の調整方法。
【請求項６】
前記係数調整値の決定段階は、前記期待値測定値が、確率密度関数を利用して決定する段階を含むことを特徴とする請求項４に記載の量子化係数の調整方法。
【請求項７】
前記係数調整値の決定段階は、前記期待値測定値が、ラプラス関数を利用して決定する段階を含むことを特徴とする請求項４に記載の量子化係数の調整方法。
【請求項８】
所定サイズのブロックに分けられた映像データをブロック別に周波数領域に変換し、周波数領域の係数を決定する段階と、
ブロック内のピクセル位置別に、前記ブロックの同一ピクセル位置の係数に割り当てられる統計的特性値を決定する段階と、
前記係数を量子化する段階と、
映像伝送データストリームに、前記ピクセル位置別統計的特性値及び前記量子化された係数を含めて、復号化端に出力する段階とを含み、
それぞれの統計的特性値は、現在フレームのそれぞれのブロック内の当該ピクセル位置の係数の分散であることを特徴とする量子化係数調整のための映像伝送データストリーム生成方法。
【請求項９】
符号化端から入力された映像データストリームに含まれる、係数の統計的特性値と量子化された係数とを抽出する抽出部と、
前記係数の統計的特性値に基づく係数の統計的分布を利用し、ブロック内のそれぞれのピクセル位置に係わる係数調整値を決定する係数調整値決定部と、
前記それぞれのピクセル位置に係わる係数調整値を、同一ピクセル位置の係数に加えることによって、前記係数を調整する係数調整部とを含み、
前記抽出部は、前記統計的特性値が、ブロック内のピクセル位置ごとに与えられ、それぞれの統計的特性値は、現在フレームのそれぞれのブロック内の当該ピクセル位置の係数の分散であることを特徴とする量子化係数の調整装置。
【請求項１０】
前記調整された係数を逆量子化する逆量子化部を含むことを特徴とする請求項９に記載の量子化係数の調整装置。
【請求項１１】
前記抽出部は、前記係数が、符号化端で前記映像データが離散コサイン変換（ＤＣＴ）によって変換された値であることを特徴とする請求項９に記載の量子化係数の調整装置。
【請求項１２】
前記係数調整値決定部は、前記係数調整値が、期待値測定値に負（−）の方向に比例し、ｐを予め決定された量子化変数として、２のｐ乗に負（−）の方向に反比例し、前記変換後に量子化された係数の絶対値に比例する、ように決定する、
ことを特徴とする請求項９に記載の量子化係数の調整装置。
【請求項１３】
前記係数調整値決定部は、前記統計的分布として正規分布を選択し、前記正規分布に前記分散を適用することによって、前記期待値測定値を決定することを特徴とする請求項１２に記載の量子化係数の調整装置。
【請求項１４】
前記係数調整値決定部は、前記期待値測定値が、確率密度関数を利用して決定することを特徴とする請求項１２に記載の量子化係数の調整装置。
【請求項１５】
前記係数調整値決定部は、前記期待値測定値が、ラプラス関数を利用して決定することを特徴とする請求項１２に記載の量子化係数の調整装置。
【請求項１６】
所定サイズのブロックに分けられた映像データをブロック別に周波数領域に変換し、周波数領域の係数を決定する係数決定部と、
ブロック内のピクセル位置別に、前記ブロックの同一ピクセル位置の係数の統計的特性値を決定する統計的特性値決定部と、
前記係数を量子化する量子化部と、
映像伝送データストリームに、前記ピクセル位置別統計的特性値及び前記量子化された係数を含めて、復号化端に出力する記録部とを含み、
それぞれの統計的特性値は、現在フレームのそれぞれのブロック内の当該ピクセル位置の係数の分散であることを特徴とする量子化係数調整のための映像伝送データストリーム生成装置。
【請求項１７】
量子化係数の調整方法を具現するためのプログラムが記録されたコンピュータで読み取り可能な記録媒体において、前記量子化係数の調整方法は、
符号化端から入力された映像データストリームに含まれる、係数の統計的特性値及び量子化された係数を抽出する段階と、
前記係数の統計的特性値に基づく係数の統計的分布を利用し、ブロック内のピクセル位置に係わる係数調整値を決定する段階と、
前記ピクセル位置に係わる係数調整値を、同一ピクセル位置の係数に加えることによって、前記係数を調整する段階とを含み、
前記抽出段階は、前記統計的特性値が、ブロック内のピクセル位置ごとに与えられ、それぞれの統計的特性値は、現在フレームのそれぞれのブロック内の当該ピクセル位置の係数の分散であることを特徴とするコンピュータで読み取り可能な記録媒体。
【請求項１８】
量子化係数調整のための映像伝送データストリーム生成方法を具現するためのプログラムが記録されたコンピュータで読み取り可能な記録媒体において、前記量子化係数調整のための映像伝送データストリーム生成方法は、
所定サイズのブロックに分けられた映像データをブロック別に周波数領域に変換し、周波数領域の係数を決定する段階と、
ブロック内のピクセル位置別に、前記ブロックの同一ピクセル位置の係数に割り当てられる統計的特性値を決定する段階と、
前記係数を量子化する段階と、
映像伝送データストリームに、前記ピクセル位置別統計的特性値及び前記量子化された係数を含めて、復号化端に出力する段階とを含み、
それぞれの統計的特性値は、現在フレームのそれぞれのブロック内の当該ピクセル位置の係数の分散であることを特徴とするコンピュータで読み取り可能な記録媒体。
【発明の詳細な説明】
【技術分野】
【０００１】
本発明は、ビデオコーデックでの量子化係数調整（quantized  coefficient  correction）方法及び装置に係り、さらに詳細には、映像データが周波数領域に変換された後、量子化された係数の非均一統計的分布（non-uniform  statistical  distribution）を利用し、量子化係数を調整する方法及び装置に関する。
【背景技術】
【０００２】
ＭＰＥＧ（moving  picture  experts  group）、Ｈ．２６Ｘなどのビデオ圧縮標準規格は、共通して映像データを、前処理段階（pre-processing）、変換段階（transforming）、量子化段階（ｑｕａｎｔｉｚａｔｉｏｎ）及び符号化段階（ｅｎｃｏｄｉｎｇ）を経て映像データを圧縮し、伝送データストリームを生成する。
【０００３】
変換段階では、圧縮効率を高めるための映像データの重複性（redundancy）を見つけるために、さまざまな変換技法が使われる。特に、時間領域（spatial  domain）の映像データを周波数領域（frequency  domain）の係数に変換する変換技法が多用され、代表的な例として、離散コサイン変換（ＤＣＴ：discrete  cosine  transform）、ウェーブレット変換（wavelet  transform）などがある。
【０００４】
量子化段階は、変換された係数値を有効桁数のビット数（effective  number  of  bits）に減らす過程である。ビット数を減らす過程で、原データに損失が発生してしまう。あらゆる損失圧縮技術は、量子化段階を含むので、原データの完壁な復元が不可能であるが、圧縮率を高めることができる。
【０００５】
ＪＰＥＧ（joint  photographic  experts  group）、ＭＰＥＧ、Ｈ．２６Ｘのようなビデオ圧縮標準規格では、非均一量子化技法が使われる。非均一量子化技法では、映像データを変換した後、量子化された係数に対して追加的な係数調整値が決定され、量子化係数が調整される。既存の係数調整方法は、多様な方法によって係数調整値を測定し、符号化器で係数を調整する。
【発明の概要】
【発明が解決しようとする課題】
【０００６】
本発明が解決しようとする課題は、復号化端で量子化係数を調整することによって、圧縮効率を改善させることができる量子化係数調整方法及び装置を提案するところにある。
【０００７】
また、本発明が解決しようとする課題は、変換後に量子化された係数の調整のために、数学的理論に基いた係数の統計的特性を利用し、最適化された量子化係数調整値を求める方法を提案するところにある。
【課題を解決するための手段】
【０００８】
前記解決しようとする課題を達成するために、本発明の一実施形態による量子化係数の調整方法は、入力された映像データストリームから係数の統計的特性値（statistics）及び量子化された係数を抽出する段階、係数の統計的特性値に依存する係数の統計的分布（statistical  distribution）を利用し、ブロック内のそれぞれのピクセル位置に係わる係数調整値を決定する段階、及びそれぞれのピクセル位置に係わる係数調整値を同一ピクセル位置の係数に加えることによって、係数を調整する段階を含む。
【０００９】
一実施形態の量子化係数の調整方法は、調整された係数を逆量子化（dequantization）する段階を含む。
【００１０】
一実施形態の抽出段階は、係数が、符号化端で映像データが離散コサイン変換（ＤＣＴ）された値である。
【００１１】
一実施形態の抽出段階は、統計的特性値が、ブロック内のピクセル位置ごとに与えられ、それぞれの統計的特性値が、現在フレームのそれぞれのブロック内の所定ピクセル位置の係数の分散（variance）である。
【００１２】
一実施形態の係数調整値決定段階は、係数調整値が、期待値測定値（mathematical  expectation）に負（−）の方向に比例（proportion）し、ｐが量子化パラメータ（ｑＰ：quantization  parameter）に依存する量子化変数であるとき、２のｐ乗に負（−）の方向に反比例（inverse  proportion）し、係数の絶対値に比例するように決定する段階を含む。
【００１３】
一実施形態の係数調整値の決定段階は、統計的分布として正規分布（Gaussian  distribution）を選択し、正規分布に分散を適用することによって、期待値測定値を決定する段階を含む。
【００１４】
一実施形態の係数調整値の決定段階は、期待値測定値が、確率密度関数（Gauss  probability  density  function）を利用して決定する段階を含む。
【００１５】
一実施形態の係数調整値の決定段階は、期待値測定値が、ラプラス関数（Laplace  function）を利用して決定する段階を含む。
【００１６】
前記解決しようとする課題を解決するために、本発明の一実施形態による映像伝送データストリーム生成方法は、所定サイズのブロックに分けられた映像データをブロック別に周波数領域（frequency  domain）に変換し、周波数領域の係数を決定する段階、ブロック内のピクセル位置別に、同一ピクセル位置の係数の統計的特性値を決定する段階、係数を量子化する段階、及び映像伝送データストリームにピクセル位置別統計的特性値と量子化された係数とを記録する段階を含む。
【００１７】
前記解決しようとする課題を解決するために、本発明の一実施形態による量子化係数の調整装置は、入力された映像データストリームから係数の統計的特性値と量子化された係数とを抽出する抽出部、係数の統計的特性値に依存する係数の統計的分布を利用し、ブロック内のそれぞれのピクセル位置に係わる係数調整値を決定する係数調整値決定部、及びそれぞれのピクセル位置に係わる係数調整値を同一ピクセル位置の係数に加えることによって、係数を調整する係数調整部を含む。
【００１８】
また本発明は、本発明の一実施形態による量子化係数の調整方法を具現するためのプログラムが記録されたコンピュータで読み取り可能な記録媒体を含む。
【発明の効果】
【００１９】
本発明の量子化係数の調整方法及び装置は、復号化端で量子化係数を調整することによって、高いビット率環境での圧縮効率を改善できる。
【００２０】
また、本発明による量子化係数の調整方法は、数学的理論に基いた係数の統計的特性を利用し、量子化係数調整値を求めるので、最適化された係数調整方法を具現する効果がある。
【図面の簡単な説明】
【００２１】
【図１Ａ】本発明の一実施形態による量子化係数の調整装置のブロック図である。
【図１Ｂ】本発明の他の実施形態による量子化係数の調整装置のブロック図である。
【図２】本発明の一実施形態による映像伝送データストリーム生成装置のブロック図である。
【図３Ａ】本発明の他の実施形態による量子化係数の調整装置を利用した一実験結果のピーク信号対ノイズ比（ＰＳＮＲ：peek  signal  to  noise  ratio）を図示するグラフである。
【図３Ｂ】本発明の他の実施形態による量子化係数の調整装置を利用した他の実験結果のピーク信号対ノイズ比（ＰＳＮＲ）を図示するグラフである。
【図４Ａ】本発明の一実施形態による量子化係数の調整方法を示すフローチャートである。
【図４Ｂ】本発明の他の実施形態による量子化係数の調整方法を示すフローチャートである。
【図５】本発明の一実施形態による映像伝送データストリーム生成方法を示すフローチャートである。
【発明を実施するための形態】
【００２２】
以下、図１Ａないし図３Ｂを参照しつつ、本発明の一実施形態による量子化係数の調整方法について説明する。
【００２３】
図１Ａは、本発明の一実施形態による量子化係数の調整装置のブロック図を図示している。
【００２４】
本発明の一実施形態による量子化係数の調整装置１００は、抽出部１１０、係数調整値決定部１２０及び係数調整部１３０を含む。
【００２５】
本発明の一実施形態による量子化係数の調整装置１００は、復号化端（図示せず）で作動されるので、符号化端（図示せず）から伝送された映像データを処理する。
【００２６】
抽出部１１０は、符号化端から映像伝送データストリームを入力され、係数の統計的特性値と量子化された係数とを抽出し、係数調整値決定部１２０及び係数調整部１３０に出力する。
【００２７】
一実施形態の抽出部１１０で、抽出された係数は、符号化端で、前記映像データが離散コサイン変換（ＤＣＴ：discrete  cosine  transform）によって変換された値である。
【００２８】
一実施形態の抽出部１１０で、統計的特性値は、ブロック内のピクセル位置ごとに与えられ、それぞれの統計的特性値は、現在フレームのそれぞれのブロック内の所定ピクセル位置の係数の分散（variance）である。
【００２９】
係数調整値決定部１２０は、抽出部１１０から係数及びピクセル位置別統計的特性を入力され、係数の統計的特性に依存する係数の統計的分布を利用し、ブロック別に係数調整値を決定し、係数調整値を係数調整部１３０に出力する。
【００３０】
一実施形態の係数調整値決定部１２０は、前記係数調整値が期待値測定値に負（−）の方向に比例し、ｐが量子化パラメータｑＰに依存する量子化変数であるとき、２のｐ乗（pth  power）に負（−）の方向に反比例し、変換後に量子化された係数の絶対値に比例するように決定する。
【００３１】
一実施形態の係数調整値決定部１２０は、ブロック内の係数の分散を適用した正規分布（Gaussian  distribution）、確率密度関数（Gauss  probability  density）、ラプラス関数（Laplace  function）などを利用して期待値測定値を決定する。
【００３２】
係数調整値決定部１２０の係数調整方法は、以下の数式を参照して後述する。
【００３３】
係数調整部１３０は、係数調整値決定部１２０から係数調整値を、抽出部１１０から係数を入力され、それぞれのピクセル位置に係わる係数調整値を、同一ピクセル位置の係数に加えることによって、係数を調整する。
【００３４】
図１Ｂは、本発明の他の実施形態による量子化係数の調整装置のブロック図を図示している。
【００３５】
他の実施形態による量子化係数の調整装置１５０は、抽出部１１０、係数調整値決定部１２０、係数調整部１３０及び逆量子化部１４０を含む。ここで、抽出部１１０、係数調整値決定部１２０及び係数調整部１３０は、図１Ａに図示された一実施形態による量子化係数の調整装置１００の構成要素とその役割が同一である。
【００３６】
逆量子化部１４０は、係数調整部１３０で調整された係数を逆量子化し、時間次元でのデータを求める。符号化端で量子化された係数を復号化端で逆量子化することにより、映像データが復元されうる。
【００３７】
図２は、本発明の一実施形態による映像伝送データストリーム生成装置のブロック図を図示している。
【００３８】
本発明の一実施形態による映像伝送データストリーム生成装置２００は、係数決定部２１０、統計的特性値決定部２２０、量子化部２３０及び記録部２４０を含む。
【００３９】
係数決定部２１０は、映像データを入力され、映像データを所定サイズのブロックに分け、ブロック別に周波数領域に変換し、周波数領域の係数を決定し、統計的特性値決定部２２０及び量子化部２３０に出力する。
【００４０】
統計的特性値決定部２２０は、係数決定部２１０から変換された係数を入力され、ブロック内のピクセル位置別に、同一ピクセル位置の係数の統計的特性値を決定し、決定された特性値を記録部２４０に出力する。すなわち、それぞれのブロックの同じピクセル位置に同じ統計的特性値が割り当てられうる。
【００４１】
統計的特性値決定部２２０の一実施形態は、統計的特性値として同一ピクセル位置の係数の分散を生成する。統計的特性値は、ピクセル位置別に生成されるので、ブロック当たり含まれるピクセル個数ほど生成される。
【００４２】
量子化部２３０は、係数決定部２１０から変換された係数を入力され、係数を量子化し、量子化された係数を記録部２４０に出力する。
【００４３】
記録部２４０は、統計的特性値決定部２２０から統計的特性値を入力され、量子化部２３０から量子化された係数を入力され、映像伝送データストリームに、ピクセル位置別統計的特性値と量子化された係数とを記録して出力する。
【００４４】
記録部２４０の一実施形態は、統計的特性値を映像伝送データストリームのオーバーヘッドとして記録する。
【００４５】
以下、係数調整値決定部１２０で、係数の統計的特性値に依存する統計的分布を利用して係数調整値を決定する方法について詳述する。
【００４６】
本発明の一実施形態はＨ．２６４ビデオコーデックに基づいて、Ｈ．２６４ビデオコーデックは、ＤＣＴによって映像データが周波数領域の係数に変換されるので、以下、ＤＣＴによる係数、すなわちＤＣＴ係数に係わる係数調整値を決定する方法について、一実施形態でもって説明する。
【００４７】
ただし、後述する実施形態は、本発明が適用されうる一実施形態であるのみ、他のビデオコーデック及び他の変換技法が利用されうるので、後述する実施形態に本発明が限定されるものであると解釈されてはならない。
【００４８】
ビデオ圧縮システムの符号化端で、ＤＣＴは、ピクチャ（picture）またはブロック単位で、原本映像から予測映像を差し引いた差異（difference）映像に対して行われる。従って、ＤＣＴによるＤＣＴ係数は、原映像に比べて、統計的に相関性が欠如する（statiscally  decorrelated）。
【００４９】
差異映像のＤＣＴ係数の統計的非相関性は、ＤＣＴ係数に対して中心極限定理（central  limit  theorem）が適用されうることを意味する。ＤＣＴ係数に対して中心極限定理が成立するので、ＤＣＴ係数のための係数調整値を決定するために、正規分布が適用されうる。
【００５０】
本発明の一実施形態は、Ｈ．２６４ビデオコーデックで、４×４サイズのブロック単位で映像データが処理される場合を仮定する。従って、本発明の一実施形態による映像伝送データストリーム生成装置２００によって生成された映像伝送データストリームは、前述のように、１フレーム内でブロックのピクセル位置ごとに、同一ピクセル位置の係数の統計的特性値を有する。従って、ビデオ伝送データストリームは、全１６個の統計的特性値を有し、それぞれのブロックごとに、同じ１６個の統計的特性値が利用される。特に、一実施形態の映像伝送データストリームは、統計的特性値として、当該ピクセル位置の係数の分散が記録されるので、１６個の分散値が記録される。
【００５１】
量子化係数の調整装置１００，１５０の抽出部１１０は、入力された映像伝送データストリームから、１６個のピクセル位置別分散と、量子化された係数とを抽出する。ブロックのピクセル位置別係数調整値αを求めるために、式（１）を定義する。
【００５２】
【数１】
0005438013.tif 000002
ここで、ＭＸは、変数Ｘの期待値測定値（mathematical  expectation）であり、Ｘは、ＤＣＴ係数を示す。一実施形態の係数調整値決定部１２０の係数調整値は、期待値測定値に負（−）の方向に比例する。
【００５３】
ｐは、Ｈ．２６４ビデオコーデックＥＩ量子化パラメータｑＰ（quantization  parameter）に依存する値を示す。ｐ値は、ビデオ圧縮時に設定される値である。一実施形態の係数調整値決定部１２０の係数調整値は、２のｐ乗に負（−）の方向に反比例する。
【００５４】
ｋは、量子化されたＤＣＴ係数の絶対値を示す。一実施形態の係数調整値決定部１２０の係数調整値は、変換後に量子化された係数の絶対値に比例する。
【００５５】
係数調整値決定部１２０の一実施形態は、ＤＣＴ係数の分布は、正規分布によるという仮定の下、期待値測定値ＭＸを求めるために、式（２Ａ）及び式（２Ｂ）の正規分布を利用する。
【００５６】
【数２】
0005438013.tif 000003
ここで、Ｃは、未知の定数（unknown  constant）であり、式（２Ａ）及び式（２Ｂ）を連立させば、容易に消去されうる（excluded）。
【００５７】
また、期待値測定値ＭＸを求めるために、式（３）の確率分布関数（Gauss  probability  density  function）が利用される。
【００５８】
【数３】
0005438013.tif 000004
ここで、σは、分散を示す。すなわち、ピクセル位置別分散値をσに代入する。従って、式（２Ａ）及び式（２Ｂ）を連立させて整理し、式（３）の確率分布関数を利用し、式（１）を表現すれば、以下の式（４）が誘導される（derived）。
【００５９】
【数４】
0005438013.tif 000005
ここで、φ（・）は、ラプラス関数であり、式（５）の通りである。
【００６０】
【数５】
0005438013.tif 000006
従って、式（４）及び式（５）を参照すれば、係数の分散σ及び量子化変数ｐだけあれば、係数調整値αが決定されるということを確認することができる。
【００６１】
図３Ａは、本発明の他の実施形態による量子化係数の調整装置を利用した一実験結果のピーク信号対ノイズ比（ＰＳＮＲ：peek  signal  to  noise  ratio）を図示している。
【００６２】
図３Ａのグラフは、Ｈ．２６４ビデオコーデック環境で、既存の方法によって量子化係数が調整されたアンカー符号化（Anchor  coding）による映像のＰＳＮＲ結果３１０、及び本発明の一実施形態によって量子化係数を調整した映像データのＰＳＮＲ結果３２０が比較されたグラフである。本実験は、「Foreman」映像を実験映像として使用し、実験映像に対して、４×４サイズのブロックに分割し、イントラ予測技法によるＨ．２６４ビデオコーデックシステム上で量子化係数調整技法を具現した。
【００６３】
グラフの横軸は、ビット率（bit  rate）を示し、縦軸は、結果映像のピーク信号対ノイズ比（ＰＳＮＲ）を示す。本発明の一実施形態による結果映像のＰＳＮＲ  ３２０が、４×１０５ｂｐｓ（bit  per  second）以上のビット率で、既存技法による結果映像のＰＳＮＲ ３１０に比べて高く、圧縮率において利得があるということが分かる。
【００６４】
図３Ｂは、本発明の他の実施形態による量子化係数の調整装置を利用した他の実験結果のピーク信号対ノイズ比（ＰＳＮＲ）を図示している。
【００６５】
図３ＢのグラフはＨ．２６４ビデオコーデック環境で、既存の方法によって量子化係数が調整されたアンカー符号化による映像データのＰＳＮＲ結果３３０、及び本発明の一実施形態によって量子化係数を調整した映像データのＰＳＮＲ結果３４０が比較されたグラフである。本実験は、図３Ａと同じ実験環境で、「Mobile」映像に対して量子化係数調整技法が具現された。
【００６６】
図３Ｂを参照するに、７×１０５ｂｐｓ（bit  per  second）以上のビット率で、本発明の一実施形態による結果映像のＰＳＮＲ  ３４０が、既存技法による結果映像のＰＳＮＲ  ３３０に比べて、圧縮率において利得があるということが分かる。
【００６７】
従って、図３Ａ及び図３Ｂを参照すれば、本発明の一実施形態は、高いビット率、すなわち圧縮率が高いとき、既存の技法に比べて、向上された性能を有するということが分かる。また、高いビット率環境では、ビット率が低いときに比べ、伝送データストリームに一部統計的特性値がさらに含まれても、無視されうる負担であるならば、特別に影響を受けるものではない。
【００６８】
図４Ａは、本発明の一実施形態による量子化係数の調整方法のフローチャートを図示している。段階４１０で、入力された映像データストリームから係数の統計的特性値及び量子化された係数が抽出される。段階４２０で、係数の統計的特性値に依存する係数の統計的分布を利用し、ブロック内のそれぞれのピクセル位置に係わる係数調整値が決定される。段階４３０で、それぞれのピクセル位置に係わる係数調整値を、同一ピクセル位置の係数に加えることによって、係数が調整される。
【００６９】
図４Ｂは、本発明の他の実施形態による量子化係数の調整方法のフローチャートを図示している。段階４１０で、入力された映像データストリームから係数の統計的特性値及び量子化された係数が抽出される。段階４２０で、係数の統計的特性値に依存する係数の統計的分布を利用し、ブロック内のそれぞれのピクセル位置に係わる係数調整値が決定される。段階４３０で、それぞれのピクセル位置に係わる係数調整値を、同一ピクセル位置の係数に加えることによって、係数が調整される。段階４４０で、調整された係数が逆量子化される。
【００７０】
図５は、本発明の一実施形態による映像伝送データストリーム生成方法のフローチャートを図示している。段階５１０で、所定サイズのブロックに分けられた映像データが、ブロック別に周波数領域に変換され、周波数領域の係数が決定される。段階５２０で、ブロック内のピクセル位置別に、同一ピクセル位置の係数の統計的特性値が決定される。段階５３０で、係数が量子化される。段階５４０で、映像伝送データストリームに、ピクセル位置別統計的特性値と、量子化された係数とが記録される。
【００７１】
一方、前述の本発明の実施形態は、コンピュータで実行されうるプログラムでもって作成可能であり、コンピュータで読み取り可能な記録媒体を利用し、前記プログラムを動作させる汎用デジタルコンピュータで具現されうる。前記コンピュータで読み取り可能な記録媒体は、マグネチック記録媒体（例えば、ＲＯＭ（read-only  memory）、フロッピー（登録商標）ディスク、ハードディスク）、光学的判読媒体（例えば、ＣＤ−ＲＯＭ、ＤＶＤなど）のような記録媒体を含む。他の例として、コンピュータで読み取り可能な記録媒体は、キャリアウェーブ（例えば、インターネットを介したた伝送）を含む。
【００７２】
以上、本発明について、その望ましい実施形態を中心に説明した。本発明が属する技術分野で当業者は、本発明が、本発明の本質的な特性から外れない範囲で変形された形態で具現されうることを理解することができるであろう。よって、開示された実施形態は、限定的な観点ではなくして、説明的な観点から考慮されねばならない。本発明の範囲は、前述の説明ではなく、特許請求の範囲に示されており、それと同等な範囲内にあるあらゆる差異点は、本発明に含まれたものであると解釈されるのである。
【図１Ａ】
0005438013.tif 000007
【図１Ｂ】
0005438013.tif 000008
【図２】
0005438013.tif 000009
【図３Ａ】
0005438013.tif 000010
【図３Ｂ】
0005438013.tif 000011
【図４Ａ】
0005438013.tif 000012
【図４Ｂ】
0005438013.tif 000013
【図５】
0005438013.tif 000014